(57)【要約】画像処理装置（１００）は、肌に貼り付け可能なシート（５４０）への画像の印刷に用いられる画像データを生成する画像処理装置である。画像処理装置は、顔特徴点を基準として顔における目標位置が定められたメイク部品画像（５１１）と、顔特徴点を基準として顔における目標位置が定められた補助マーク画像（５１２）を決定する画像決定部（１０３）と、決定されたメイク部品画像（５１１）と、決定されたメイク部品画像の印刷位置に対応する位置に決定された補助マーク画像（５１２）をシートに印刷する内容の、画像データを生成する印刷制御部（１０４）と、を有する。
2018003421.tif 000002
【特許請求の範囲】
【請求項１】
肌に貼り付け可能なシートへの画像の印刷に用いられる画像データを生成する画像処理装置であって、  顔特徴点を基準として顔における目標位置が定められたメイク部品画像と、前記顔特徴点を基準として前記顔における目標位置が定められた補助マーク画像を決定する画像決定部と、  前記決定されたメイク部品画像と、前記決定されたメイク部品画像の印刷位置に対応する位置に前記決定された補助マーク画像を前記シートに印刷する内容の、前記画像データを生成する印刷制御部と、を有する、  画像処理装置。
【請求項２】
前記メイク部品画像は、予め定められた複数種類の中からユーザにより選択される、  請求項１に記載の画像処理装置。
【請求項３】
前記補助マーク画像は、予め定められた複数種類の中からユーザにより選択される、  請求項２に記載の画像処理装置。
【請求項４】
複数種類の前記補助マーク画像のそれぞれに対して優先度が設定され、  選択肢としての前記補助マーク画像が前記優先度の高い順に前記ユーザに提示される、  請求項３に記載の画像処理装置。
【請求項５】
前記優先度は、  前記ユーザによる前記補助マーク画像の選択回数に応じて設定される、  請求項４に記載の画像処理装置。
【請求項６】
前記印刷制御部は、前記生成した画像データを印刷装置に出力する、  請求項１に記載の画像処理装置。
【請求項７】
肌に貼り付け可能なシートの貼り付けを支援する画像処理装置であって、  顔と、顔特徴点を基準として前記顔における目標位置が定められたメイク部品画像が印刷され、かつ、前記顔特徴点を基準として前記顔における目標位置が定められた補助マーク部分を有する前記シートと、を撮影した撮影画像を取得する画像取得部と、  前記撮影画像から顔特徴点を抽出し、抽出された前記顔特徴点に基づいて、前記補助マーク部分の前記目標位置を示す目標位置画像を、前記撮影画像に重畳して表示させる画像解析部と、  前記撮影画像から前記補助マーク部分の位置を検出する位置検出部と、  検出された前記補助マーク部分の位置と前記目標位置画像の位置との関係に基づいて、前記シートの前記肌への貼り付けの支援となる通知を行う貼付通知部と、  を有する、画像処理装置。
【請求項８】
前記貼付通知部は、  前記検出された前記補助マーク部分の位置と前記目標位置画像の位置との距離が所定値以下となった場合、前記肌への貼り付けの実行を促す通知を行う、  請求項７に記載の画像処理装置。
【請求項９】
前記貼付通知部は、  前記距離が前記所定値以下ではない場合、前記シートの移動を誘導する通知を行う、  請求項８に記載の画像処理装置。
【請求項１０】
前記貼付通知部は、  前記補助マーク部分の位置が検出されてから前記距離が前記所定値以下ではない時間が一定時間を超えた場合、前記シートの移動を誘導する通知を行う、  請求項８に記載の画像処理装置。
【請求項１１】
前記画像解析部は、  前記補助マーク部分が複数の構成要素から成る場合、該複数の構成要素のうちの第１の構成要素に対応する第１の目標位置画像を表示させ、  前記第１の目標位置画像の位置と、前記撮影画像から検出された前記補助マーク部分における所定位置との距離が所定値以下となった場合、前記複数の構成要素のうちの第２の構成要素に対応する第２の目標位置画像を表示させる、  請求項７に記載の画像処理装置。
【請求項１２】
前記補助マーク部分は、  前記シートの一部分、前記シートを把持する物体、または、前記シートまたは該シートの担持体において前記メイク部品画像の印刷位置に対応する位置に印刷された補助マーク画像である、  請求項７に記載の画像処理装置。
【請求項１３】
肌に貼り付け可能なシートへの画像の印刷に用いられる画像データを生成する画像処理方法であって、  顔特徴点を基準として顔における目標位置が定められたメイク部品画像と、前記顔特徴点を基準として前記顔における目標位置が定められた補助マーク画像を決定し、  前記決定されたメイク部品画像と、前記決定されたメイク部品画像の印刷位置に対応する位置に前記決定された補助マーク画像を前記シートに印刷する内容の、前記画像データを生成する、  画像処理方法。
【請求項１４】
肌に貼り付け可能なシートの貼り付けを支援する画像処理方法であって、  顔と、顔特徴点を基準として前記顔における目標位置が定められたメイク部品画像が印刷され、かつ、前記顔特徴点を基準として前記顔における目標位置が定められた補助マーク部分を有する前記シートと、を撮影した撮影画像を取得し、  前記撮影画像から顔特徴点を抽出し、抽出された前記顔特徴点に基づいて、前記補助マーク部分の前記目標位置を示す目標位置画像を、前記撮影画像に重畳して表示させ、  前記撮影画像から前記補助マーク部分の位置を検出し、  検出された前記補助マーク部分の位置と前記目標位置画像の位置との関係に基づいて、前記シートの前記肌への貼り付けの支援となる通知を行う、  画像処理方法。
【発明の詳細な説明】
【技術分野】
【０００１】  本開示は、肌に貼り付け可能なシートに画像を印刷するための画像データを生成する画像処理装置および画像処理方法に関する。
【背景技術】
【０００２】  従来、肌に貼り付け可能であり、機能性成分（例えば、化粧剤、薬剤など）が付与されたシートが知られている（例えば、特許文献１〜４参照）。また、色の付いた機能性成分を所定の形状、大きさで印刷することで、シート上に画像を形成する技術が知られている（例えば、特許文献５参照）。ユーザは、シート上の画像を目標位置（シート上の画像が配置されるべき肌の位置）に合わせてシートを肌に貼り付けることで、顔のメイクアップ（以下、単に「メイク」という）や肌のケアを簡単に行うことができる。
【先行技術文献】
【特許文献】
【０００３】
【特許文献１】国際公開第２０１２／１７３１９８号
【特許文献２】特許第５５８０６７０号公報
【特許文献３】特許第５５８０６７１号公報
【特許文献４】特許第５５１４０１４号公報
【特許文献５】特開２０１５−４３８３６号公報
【発明の概要】
【０００４】  しかしながら、上記従来技術においては、ユーザはシートを手で掴んで肌へ貼り付けるため、シート上の画像が目標位置からずれた状態でシートを貼り付けてしまうことが起こりうる。
【０００５】  このようにシート貼付け位置が、目標位置からずれた場合、メイクやケアを適切に行うことができないため、シートを貼り直さなければならず、ユーザにとって面倒である。したがって、ユーザがシートを適切な位置に容易に貼り付けることができる技術が望まれる。
【０００６】  本開示の一態様は、ユーザがシートを適切な位置に容易に貼り付けることができる画像処理装置および画像処理方法を提供する。
【０００７】  本開示の画像処理装置は、肌に貼り付け可能なシートへの画像の印刷に用いられる画像データを生成する画像処理装置であって、顔特徴点を基準として顔における目標位置が定められたメイク部品画像と、前記顔特徴点を基準として前記顔における目標位置が定められた補助マーク画像を決定する画像決定部と、前記決定されたメイク部品画像と、前記決定されたメイク部品画像の印刷位置に対応する位置に前記決定された補助マーク画像を前記シートに印刷する内容の、前記画像データを生成する印刷制御部と、を有する。
【０００８】  本開示の一態様によれば、ユーザがシートを適切な位置に容易に貼り付けることができる。
【図面の簡単な説明】
【０００９】
【図１】本開示に係るメイク支援システムの一例の概要を示す模式図
【図２】本開示に係るシートの構成の一例を示す断面図
【図３】本開示に係る画像処理装置の一例を示すブロック図
【図４】本開示に係る顔特徴点の一例を示す図
【図５】本開示に係るメイク部品画像テーブルの一例を示す図
【図６】本開示に係る補助マーク画像テーブルの一例を示す図
【図７】本開示に係る画像処理装置の印刷動作の一例を示すフローチャート
【図８】本開示に係る画像処理装置の一例を示すブロック図
【図９】本開示における貼付支援動作の際の表示画像の一例を示す図
【図１０】本開示における貼付支援動作の際の表示画像の一例を示す図
【図１１】本開示における貼付支援動作によりメイクが完了したユーザの顔の一例を示す図
【図１２】本開示に係る画像処理装置の貼付支援動作の一例を示すフローチャート
【図１３】本開示における貼付支援動作の際の表示画像の一例を示す図
【図１４】本開示における補助マーク部分の他の例を示す図
【発明を実施するための形態】
【００１０】  以下、本開示の一実施の形態について、図面を参照して詳細に説明する。
【００１１】  （発明に至った知見）  例えば、ユーザは、メイク部品（例えば、アイシャドウ、チーク等）が印刷されたシートを顔の肌に貼り付ける際、シートを手（指を含む。以下同様）などで掴み、シートに印刷されたメイク部品の位置と、メイク部品の目標位置（メイク部品が配置されるべき顔の肌の位置）とを鏡などで確認しながら、シート上のメイク部品を目標位置に近付ける。このとき、シートまたはシートを掴んでいる手が目標位置に重なると目標位置の確認が難しくなるため、メイク部品が目標位置からずれた状態でシートを貼り付けてしまうことがある。シート上のメイク部品が目標位置からずれるとメイクの見栄えがよくないため、シートを貼り直さなければならず、ユーザにとって面倒である。
【００１２】  なお、ずれを許容可能なメイク部品をシートに印刷することも考えられるが、ずれを許容することでメイク部品の形状や大きさが限定されてしまい、流行に沿ったメイク部品を提供できないおそれがある。
【００１３】  そこで、本発明では、シート上のメイク部品と目標位置とのずれを生じさせることなく、ユーザがシートを適切な位置に容易に貼り付けることができるようにする。
【００１４】  ＜システム構成＞  まず、本実施の形態に係る画像処理装置を含むメイク支援システムの概要について、図１を用いて説明する。
【００１５】  図１は、メイク支援システムの一例の概要を示す模式図である。
【００１６】  図１に示すメイク支援システム１は、例えば、工場、化粧品販売店舗、美容室、医療機関、身だしなみを整えるメイクルーム、イベント会場、および個人宅等に配置される。
【００１７】  図１において、メイク支援システム１は、画像処理装置１００、撮像装置２００、表示装置３００、および印刷装置４００を含む。画像処理装置１００および印刷装置４００は、例えば、工場、化粧品販売店舗、美容室、医療機関、身だしなみを整えるメイクルーム、イベント会場、および個人宅等に配置される。
【００１８】  なお、図１では例として、画像処理装置１００が撮像装置２００および表示装置３００を備える場合を図示しているが、例えば、後述する図３に示すように、撮像装置２００および表示装置３００は画像処理装置１００の外部に備えられてもよい。
【００１９】  撮像装置２００は、表示装置３００の正面に位置するユーザ６００の顔を照明した状態で撮影し、顔画像６０１を取得する。顔画像６０１は、顔の肌の領域の画像（以下「肌画像」という）５１０を含む。
【００２０】  なお、本実施の形態では、顔画像を例に挙げて説明するが、画像処理装置１００が処理の対象とする画像は、顔画像以外であってもよく、例えば、手の甲や腕の肌を撮影した画像であってもよい。
【００２１】  表示装置３００は、撮像装置２００により撮影された顔画像６０１を表示する。例えば、図１に示すように、表示装置３００は、撮影された顔画像６０１を左右方向に反転させて表示する。これにより、ユーザ６００は、自分の正面顔を視認でき、自分の顔が映った鏡を見ているような感覚を得る。
【００２２】  なお、本実施の形態では、表示装置３００は、ユーザによる各種操作を受け付け可能な操作装置を兼ねた、タッチパネル付き液晶ディスプレイであるとする。ユーザによる各種操作は、タッチパネルに対する指またはスタイラスペンでのタッチ入力に限定されず、画像処理装置１００が備える物理ボタン（図示略）の押下による入力、音声による入力、または、ジェスチャーでの入力などであってもよい。
【００２３】  画像処理装置１００は、ユーザにより選択されたメイク部品を示す画像（以下「メイク部品画像」という）５１１と、ユーザにより選択された補助マークを示す画像（以下「補助マーク画像」という。補助マーク部分の一例）５１２とを、表示装置３００に表示させる。補助マークとは、シート５４０の肌５３１への貼り付けを補助（支援）する目印である。例えば、図１に示すように、メイク部品画像５１１および補助マーク画像５１２は、顔画像６０１に重畳して表示される。なお、図１に示したメイク部品画像５１１は、例えば、チーク（メイク部品の一例）を示す画像である。
【００２４】  また、画像処理装置１００は、ユーザにより選択されたメイク部品画像５１１および補助マーク画像５１２を所定の色素材料でシート５４０に印刷する内容の画像データを生成し、その画像データを印刷装置４００へ出力する。
【００２５】  なお、色素材料は、例えば特開平３−１５７３１３号公報、特開平９−３０２２９４号公報、特開２０１２−２０３４２５号公報に記載されているため、ここでの詳細な説明を省略する。また、メイク部品画像５１１の印刷に用いる色素材料と、補助マーク画像５１２の印刷に用いる色素材料とは、同じ成分組成のものであってもよいし、異なる成分組成のものであってもよい。また、メイク部品画像５１１の印刷に用いる色素材料の色と、補助マーク画像５１２の印刷に用いる色素材料の色とは、同じ色であってもよいが、ユーザがメイク部品画像５１１と補助マーク画像５１２との区別がしやすいように異なる色であることが好ましい。
【００２６】  印刷装置４００は、画像処理装置１００から受け取った画像データに基づいて、所定の色の色素材料を用いてメイク部品画像５１１および補助マーク画像５１２の印刷を行い、シート５４０を出力する。なお、シート５４０は、「シート状化粧料」と呼んでもよい。
【００２７】  ここで、シート５４０の構成例を図２Ａに示す。シート５４０は、薄膜５２０と支持体５５０を有する。
【００２８】  薄膜５２０は、例えば図２Ａに示すように、支持体５５０の面５５１に対して剥離可能に密着した部材である。この薄膜５２０は、例えば、１００〜１０００ｎｍ（ナノメータ）程度の厚さであり、柔軟性、弾力性、透水性、および生体適合性を有する。具体的には、薄膜５２０は、例えば、ポリ乳酸、ポリグリコール酸、ポリカプロラクトン、あるいはこれらの共重合体、ヒアルロン酸、およびキトサン等の、生体適合性ポリマーから成る層を有する、厚さ１０ｎｍ〜５００ｎｍの膜である。また、薄膜５４０は、例えば特開２０１４−１４０９７８号公報に記載されているものを用いてもよい。
【００２９】  支持体５５０は、例えば、紙や不織布、多孔質フィルム、ナノファイバーシート等の高吸水性の材料から成る。
【００３０】  例えば、印刷装置４００は、図２Ａに示すように薄膜５２０が支持体５５０に密着した状態において、所定の色の色素材料を薄膜５２０の面５２１に吐出する。これにより、薄膜５２０には、メイク部品画像５１１および補助マーク画像５１２が形成される。
【００３１】  このように薄膜５２０に補助マーク画像５１２が形成される場合、支持体５５０は、支持体５５０の面５５２（支持体５５０の面５５１の裏面）側から、薄膜５２０に形成された補助マーク画像５１２を視認できる透明度を備えた部材で形成されることが好ましい。これにより、ユーザがシート５４０を貼り付ける際に薄膜５２０を肌に向けることで撮像装置２００に対して面５５２が向いても、撮像装置２００は、薄膜５２０に形成された補助マーク画像５１２を撮像することができる。
【００３２】  また、薄膜５２０に補助マーク画像５１２が形成される場合、ユーザ６００が薄膜５２０の面５２１を肌５３１へ密着させて支持体５５０を剥離すると、肌５３１には補助マーク画像５１２が残る。補助マーク画像５１２が肌５３１に残ったままでは見栄えが悪いため、例えば、補助マーク画像５１２の周囲に、補助マーク画像５２１の剥離を支援するための切り込み線などが形成されてもよい。これにより、ユーザは、メイク部品画像５１１を肌５３１に残したまま、補助マーク画像５１２のみを剥がすことができる。
【００３３】  なお、補助マーク画像５１２は、支持体５５０に形成されてもよい。この場合、ユーザ６００が薄膜５２０の面５２１を肌５３１へ密着させて支持体５５０を剥離すると、補助マーク画像５１２も剥離されるので、肌５３１にはメイク部品画像５１１のみが残ることになる。
【００３４】  また、シート５４０は、図２Ｂに示すように、薄膜５２０が支持体５５０の面５５１全体に密着しない構成であってもよい。この構成では、補助マーク画像５１２は、例えば、面５５１のうち薄膜５２０と密着していない面５５３に形成されてもよい。その場合、支持体５５０は、面５５２側から、面５５３に形成された補助マーク画像５１２が視認できる透明度を備えた部材で形成されることが好ましい。
【００３５】  また、シート５４０は、支持体５５０を含まない（例えば、薄膜５２０のみから成る）構成であってもよい。
【００３６】  また、シート５４０は、さらに、支持体５５０とは異なる第２支持体（図示略）を備えてもよい。例えば、第２支持体は、プラスチック等で構成され、支持体５５０の面５５２に密着して設けられる。第２支持体において支持体５５０と密着する側の面積は、支持体５５０の面５５２の面積と同じでもよいが、それよりも大きい面積であることが好ましい。また、第２支持体には、補助マーク画像５１２が形成されてもよい。このように第２支持体を設けることにより、シート５４０に強度を持たせることができ、ユーザがシート５４０を扱いやすくなる。
【００３７】  ユーザ６００は、印刷装置４００からシート５４０が出力されると、そのシート５４０を手に取り、肌５３１に貼り付ける。詳細については後述するが、例えば、ユーザは、表示装置３００において、顔画像６０１に重畳表示される補助マーク画像５１２の位置と、撮像装置２００により撮影されたシート５４０上の補助マーク画像５１２の位置とを視認しながら、それら２つの位置を一致させるようにシート５４０を移動させる。そして、２つの位置が一致したら、ユーザは、薄膜５２０の面５２１を肌５３１に密着させた上で、支持体５５０を剥がす。これにより、図１に示すように、シート５４０（薄膜５２０）に形成されたメイク部品画像５１１が肌５３１に担持される。
【００３８】  このようにして、メイク支援システム１は、メイク部品画像５１１が印刷されたシート５４０を肌５３１に貼るといった簡単かつ短時間な動作により、簡単にメイクを行うことができる。また、シート５４０を肌５３１に貼り付ける際、補助マーク画像５１２によりメイク部品画像５１１の位置合わせを行うことができるため、メイク部品画像５１１を肌５３１における適切な位置に配置できる。
【００３９】  ＜装置の構成＞  次に、図３を用いて、画像処理装置１００の構成について説明する。
【００４０】  図３は、画像処理装置１００構成の一例を示すブロック図である。
【００４１】  図３に示す画像処理装置１００は、据え置き型の装置でもよいし、容易に持ち運ぶことも可能なポータブル型の装置でもよい。
【００４２】  また、図３に示す記憶装置５００は、例えばネットワーク上のサーバ装置（図示略）に備えられ、種々の情報を記憶する。例えば、記憶装置５００は、後述するメイク部品画像テーブル（図５参照）および補助マーク画像テーブル（図６参照）を記憶する。また、例えば、記憶装置５００は、ユーザ（ユーザ識別情報）毎に、後述する解析結果情報、補助マーク情報などを記憶する。なお、記憶装置５００は、画像処理装置１００に備えられてもよい。
【００４３】  図３において、画像処理装置１００は、画像取得部１０１、画像解析部１０２、画像決定部１０３、および印刷制御部１０４を有する。図示は省略するが、画像処理装置１００は、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路を有する。この場合、図３に示す各部の機能は、ＣＰＵが制御プログラムを実行することにより実現される。
【００４４】  画像取得部１０１は、撮像装置２００からユーザの顔画像を取得し、その顔画像を表示装置３００に表示させる。この顔画像は、動画でも、静止画でもよい。
【００４５】  また、画像取得部１０１は、撮像装置２００から取得した顔画像を画像解析部１０２へ出力する。
【００４６】  画像解析部１０２は、画像取得部１０１から顔画像を受け取ると、その顔画像から顔特徴点を抽出し、抽出された特徴点に基づいて顔部品（例えば、目、まぶた、頬、鼻、唇、おでこ、あご等）を抽出する。
【００４７】  例えば図４に示すように、顔画像からは、複数の顔特徴点（記号「●」で示す）が抽出される。例えば、顔特徴点７０１〜７０４は、右目を構成する。したがって、画像解析部１０２は、顔特徴点７０１〜７０４により囲まれる領域７０５を、右目（顔部品の一例）として抽出する。また、例えば、顔特徴点７０１〜７０３、７０６〜７０８は、右まぶたを構成する。したがって、画像解析部１０２は、顔特徴点７０１〜７０３、７０６〜７０８により囲まれる領域７０９を、右まぶた（顔部品の一例）として抽出する。
【００４８】  なお、各顔特徴点の座標は、例えば、複数の顔特徴点を基準として設定された顔座標系における座標である。あるいは、任意の複数の顔特徴点から、新たに特徴点および座標を定義された座標であってもよい。座標は、二次元座標または三次元座標のいずれでもよい。
【００４９】  画像解析部１０２は、顔画像の解析結果を示す解析結果情報を画像決定部１０３へ出力する。解析結果情報は、例えば、抽出された各顔部品の種類、各顔部品を特定可能な顔特徴点の座標などの情報を含む。
【００５０】  画像決定部１０３は、画像解析部１０２から解析結果情報を受け取ると、その解析結果情報をユーザ識別情報と関連付けて記憶装置５００に記憶させる。
【００５１】  そして、画像決定部１０３は、記憶装置５００からメイク部品画像テーブルを読み出し、そのメイク部品画像テーブルに基づいて、各種メイク部品画像を表示装置３００に表示させる。
【００５２】  ここで、メイク部品画像テーブルの一例について説明する。図５は、メイク部品テーブルの一例を示す図である。
【００５３】  図５に示すように、メイク部品テーブルには、メイク部品の種類（アイシャドウ、チーク、コンシーラ、口紅、ハイライト等）毎に、複数のメイク部品画像が登録されている。各メイク部品画像には、色付けがされている（すなわち、メイク部品画像の印刷色が設定されている）。また、図５において、アルファベットと数字から成る文字列は、メイク部品画像の識別情報である。
【００５４】  また、各メイク部品画像には、顔特徴点を基準として顔における目標位置（以下「メイク部品目標位置」という）が定められている。メイク部品目標位置とは、メイク部品が配置されるべき顔の肌の位置である。
【００５５】  例えば、右まぶたに配置されるアイシャドウの画像（以下「右アイシャドウ画像」という）には、図４に示した顔特徴点７０１〜７０３を基準として、メイク部品目標位置（例えば、領域７０９）が定められている。
【００５６】  画像決定部１０３は、例えば、図５に示した全てのメイク部品画像を一覧表示させてもよいし、または、ユーザにより指定された種類のメイク部品画像を一覧表示させてもよい。ユーザは、一覧表示された複数のメイク部品画像から、所望のメイク部品画像を選択する操作（メイク部品画像の選択操作）を行う。
【００５７】  画像決定部１０３は、ユーザによりメイク部品画像が選択されると、解析結果情報に含まれる顔特徴点の座標と、選択されたメイク部品画像のメイク部品目標位置とに基づいて、選択されたメイク部品画像を顔画像に重畳して表示させる（図１参照）。ユーザは、重畳表示されたメイク部品画像をシートに印刷したい場合、そのメイク部品画像をシートに印刷する画像に決定する操作（メイク部品画像の決定操作）を行う。
【００５８】  画像決定部１０３は、メイク部品画像の決定操作が行われると、重畳表示されているメイク部品画像を印刷画像（シートに印刷する画像）に決定する。
【００５９】  そして、画像決定部１０３は、記憶装置５００から補助マーク画像テーブルを読み出し、その補助マーク画像テーブルに基づいて、各種補助マーク画像を表示装置３００に表示させる。
【００６０】  ここで、補助マーク画像テーブルの一例について説明する。図６は、補助マーク画像テーブルの一例を示す図である。
【００６１】  図６に示すように、補助マーク画像テーブルには、メイク部品画像毎に、複数種類（囲みマーク、１点マーク、２点マーク、３点マーク、クロスマーク、ラインマーク等）の補助マーク画像が登録されている。各補助マーク画像には、色付けがされている（すなわち、補助マーク画像の印刷色が設定されている）。図示は省略するが、各補助マーク画像には、補助マーク画像の識別情報が関連付けられてもよい。
【００６２】  なお、補助マーク画像の形状は、図６に示すものに限定されない。例えば、図６に示した１点マーク画像、２点マーク画像、３点マーク画像、およびクロスマーク画像では、点または十字の代わりに、数字やアルファベット等の文字であってもよい。また、図６の例では、２点マーク画像および３点マーク画像に含まれる各点を同一形状（例えば、正円）としたが、少なくとも１つの点を別の形状（例えば、三角形等）にしてもよい。なお、点の数が多いほど、後述する貼付支援動作の際、ユーザは補助マーク画像（メイク部品画像）の位置合わせを行いやすい。また、図６の例では、囲みマーク画像を点線としたが実線であってもよい。また、図６の例では、ラインマーク画像を実線としたが、点線であってもよい。
【００６３】  各補助マーク画像には、顔特徴点を基準として顔における目標位置（以下「補助マーク目標位置」という）が定められている。補助マーク目標位置とは、補助マークが配置されるべき顔の位置である。
【００６４】  例えば、右アイシャドウ画像が、図４に示した顔特徴点７０１〜７０３を基準としてメイク部品目標位置が定められたものである場合、その右アイシャドウ画像に関連付けられた１点マークの補助マーク画像には、図４に示した顔特徴点７０１〜７０３を基準として、補助マーク目標位置（例えば、顔特徴点７０６〜７０８のいずれか）が定められている。すなわち、補助マーク目標位置の基準となる顔特徴点とメイク部品目標位置の基準となる顔特徴点は、同じ（共通）である。よって、補助マーク画像は、メイク部品画像に対して相対位置が定められているということができる。
【００６５】  画像決定部１０３は、例えば、決定されたメイク部品画像に関連付けられた全て（囲みマーク、１点マーク、２点マーク、３点マーク、クロスマーク、ラインマーク等）の補助マーク画像を一覧表示させる。ユーザは、一覧表示された複数の補助マーク画像から、所望の補助マーク画像を選択する操作（補助マーク画像の選択操作）を行う。
【００６６】  なお、上記補助マーク画像の一覧表示は、補助マーク画像毎に設定された優先度に基づいて行われてもよい。図６において、各補助マーク画像の隣りに示した数字は、補助マーク画像の優先度を示している。優先度は、ユーザの扱いやすさを数値化したものであり、数値が大きいほどユーザが扱いやすい（優先度が高い）ことを示している。優先度は、例えば、化粧品メーカなどによって予め設定される。
【００６７】  例えば、決定されたメイク部品画像が図６に示したアイシャドウの画像である場合、優先度が高い順に補助マーク画像が一覧表示されてもよい。この表示の形態としては、例えば、優先度が最も高いものが最も大きく表示され、優先度が最も低いものが最も小さく表示されてもよいし、あるいは、優先度が最も高いものが最上部に表示され、優先度が最も低いものが最下部に表示されてもよい。
【００６８】  また、一覧表示ではなく、優先度が最も高い補助マーク画像のみが、おすすめの補助マーク画像として表示されてもよい。その補助マーク画像をユーザが選択しなかった場合は、次に優先度が高い補助マーク画像が表示されてもよい。
【００６９】  画像決定部１０３は、ユーザにより補助マーク画像が選択されると、解析結果情報に含まれる顔特徴点の座標と、選択された補助マーク画像の補助マーク目標位置とに基づいて、選択された補助マーク画像を顔画像に重畳して表示させる（図１参照）。ユーザは、重畳表示された補助マーク画像をシートに印刷したい場合、その補助マーク画像をシートに印刷する画像に決定する操作（補助マーク画像の決定操作）を行う。
【００７０】  画像決定部１０３は、補助マーク画像の決定操作が行われると、重畳表示されている補助マーク画像を印刷画像に決定する。
【００７１】  そして、画像決定部１０３は、決定されたメイク部品画像および補助マーク画像を印刷制御部１０４へ出力する。また、画像決定部１０３は、決定された補助マーク画像、および、その補助マーク目標位置を示す補助マーク情報を、ユーザ識別情報に関連付けて記憶装置５００に記憶させる。この補助マーク情報は、後述するシートの貼り付け支援動作の際、画像処理装置１１０（図８参照）によって用いられる。
【００７２】  印刷制御部１０４は、画像決定部１０３から受け取ったメイク部品画像および補助マーク画像に基づいて、シートへの画像の印刷に用いられる画像データ（例えば、ＣＭＹＫ形式のデータ）を生成し、その画像データを無線通信および／または有線通信等により印刷装置４００へ出力する。
【００７３】  ここでの画像データは、所定の色の色素材料を用いてメイク部品画像をシート（例えば、薄膜５２０）に印刷する内容を含む。また、その画像データは、所定の色の色素材料を用いて補助マーク画像をシート（例えば、薄膜５２０または支持体５５０）に印刷する内容を含む。さらに、その画像データは、補助マーク画像は、メイク部品画像の印刷位置に対応する位置に（メイク部品画像との相対位置関係に基づいて）印刷される内容を含む。
【００７４】  なお、印刷制御部１０４は、生成された画像データを必ずしも直接に印刷装置４００に送信する必要はなく、他の情報記録デバイス等を介して間接的に送信してもよい。例えば、印刷制御部１０４は、生成された画像データをポータブルメモリーデバイスなどの記録媒体に記録してもよく、または、ポータブルデバイス（スマートフォン、タブレット、ＰＣ等）に送信してもよい。この場合、ユーザは、当該記録媒体やポータブルデバイスを介して印刷装置４００に画像データを送信し、ユーザの指示等により適宜必要な印刷を行う。
【００７５】  ＜装置の動作＞  次に、画像処理装置１００の動作（画像データ生成動作）について説明する。
【００７６】  図７は、画像処理装置１００の動作の一例を示すフローチャートである。
【００７７】  ステップＳ１０１において、画像取得部１０１は、撮像装置２００からユーザの顔画像を取得し、画像解析部１０２へ出力する。また、画像取得部１０１は、顔画像を表示装置３００に表示させる。
【００７８】  ステップＳ１０２において、画像解析部１０２は、画像取得部１０１から顔画像を受け取ると、その顔画像から顔特徴点を抽出する。また、画像解析部１０２は、抽出された特徴点に基づいて顔部品（例えば、目、まぶた、頬、鼻、唇、おでこ、あご等）を抽出する。
【００７９】  そして、画像解析部１０２は、抽出された各顔部品と、各顔部品を特定可能な顔特徴点の座標とを示す解析結果情報を画像決定部１０３へ出力する。画像決定部１０３は、画像解析部１０２から受け取った解析結果情報をユーザ識別情報と関連付けて記憶装置５００に記憶させる。
【００８０】  ステップＳ１０３において、画像決定部１０３は、記憶装置５００から読み出したメイク部品画像テーブル（図５参照）に基づいて各種メイク部品画像を表示装置３００に表示させ、ユーザによるメイク部品画像の選択操作を受け付ける。
【００８１】  ステップＳ１０４において、画像決定部１０３は、画像解析部１０２から受け取った解析結果情報と、ユーザに選択されたメイク部品画像のメイク部品目標位置とに基づいて、ユーザに選択されたメイク部品画像を顔画像に重畳して表示させる。
【００８２】  ステップＳ１０５において、画像決定部１０３は、ユーザによるメイク部品画像の決定操作を受け付けたか否かを判定する。メイク部品画像の決定操作を受け付けなかった場合（ステップＳ１０５：ＮＯ）、フローはステップＳ１０３へ戻る。一方、メイク部品画像の決定操作を受け付けた場合（ステップＳ１０５：ＹＥＳ）、フローはステップＳ１０６へ進む。
【００８３】  ステップＳ１０６において、画像決定部１０３は、顔画像に重畳表示されているメイク部品画像を印刷画像に決定する。
【００８４】  ステップＳ１０７において、画像決定部１０３は、記憶装置５００から読み出した補助マーク画像テーブル（図６参照）に基づいて、各種補助マーク画像を表示装置３００に表示させ、ユーザによる補助マーク画像の選択操作を受け付ける。
【００８５】  ステップＳ１０８において、画像決定部１０３は、画像解析部１０２から受け取った解析結果情報と、ユーザに選択された補助マーク画像の補助マーク目標位置とに基づいて、ユーザに選択された補助マーク画像を顔画像に重畳して表示させる。
【００８６】  ステップＳ１０９において、画像決定部１０３は、ユーザによる補助マーク画像の決定操作を受け付けたか否かを判定する。補助マーク画像の決定操作を受け付けなかった場合（ステップＳ１０９：ＮＯ）、フローはステップＳ１０７へ戻る。一方、補助マーク画像の決定操作を受け付けた場合（ステップＳ１０９：ＹＥＳ）、フローはステップＳ１１０へ進む。
【００８７】  ステップＳ１１０において、画像決定部１０３は、顔画像に重畳表示されている補助マーク画像を印刷画像に決定する。そして、画像決定部１０３は、決定されたメイク部品画像および補助マーク画像を印刷制御部１０４へ出力する。また、画像決定部１０３は、決定された補助マーク画像と、その補助マーク目標位置とを示す補助マーク情報を記憶装置５００に記憶させる。
【００８８】  ステップＳ１１１において、印刷制御部１０４は、画像決定部１０３から受け取ったメイク部品画像および補助マーク画像に基づいて画像データを生成し、その画像データを印刷装置４００へ出力する。この画像データは、所定の色の色素材料を用いてメイク部品画像をシート（例えば、薄膜）に印刷するとともに、所定の色の色素材料を用いて補助マーク画像をメイク部品画像の印刷位置に対応する位置でシート（例えば、薄膜または支持体）に印刷する、といった内容である。
【００８９】  なお、この画像データには、印刷に関する種々の情報が含まれてもよい。以下、その具体例について説明する。
【００９０】  例えば、画像データには、シートの形状、シートに印刷されるメイク部品画像の形状およびサイズ、シートに印刷される補助マーク画像の形状およびサイズ、補助マーク画像を薄膜または支持体のどちらに印刷するかなどの内容が含まれてもよい。
【００９１】  また、例えば、画像データには、色素材料の種類、色素材料の濃度、メイク部品画像の外周におけるぼかしの有無（グラデーションの有無）などの内容が含まれてもよい。
【００９２】  また、例えば、画像データには、メイク部品画像に対応する顔部品の種類などの内容が含まれてもよい。これにより、シートには顔部品毎にメイク部品画像が印刷され、ユーザはメイク部品画像がどの顔部品に対応するものであるかを容易に認識できる。
【００９３】  また、例えば、画像データには、シートに印刷されるシート識別情報（例えば、数字）が含まれてもよい。これにより、例えば、複数のシートが出力される場合、各シートに連番の数字が印刷される。各数字は、シートの貼り付け位置（例えば、顔部品、メイク部品目標位置、または、補助マーク目標位置等）に対応している。ユーザは、シートに印刷された数字（または、撮影画像に含まれるシート画像上の数字）を見ることで、シートの貼付位置を判断できる。
【００９４】  シート識別情報は、例えば、バーコードであってもよい。バーコードには、上述したシートの貼り付け位置のほか、例えば、メイク部品画像の種類などの情報が含まれてもよい。このバーコードは、後述するシートの貼付支援動作の際に撮像装置２００により読み取られる。そして、後述する画像処理装置１１０は、撮像装置２００からバーコードに含まれる各種情報を受け取り、各種情報に基づいて、メイク部品画像の種類やシートの貼り付け位置などを認識し、シートの貼り付けを支援する案内（例えば、後述する各種通知を含む）を画像表示または音声出力の少なくとも一方により行ってもよい。
【００９５】  また、例えば、画像データには、ユーザが手で把持すべきシート上の領域を示す把持領域の位置、形状、および大きさなどの内容が含まれてもよい。これにより、シートには把持領域が印刷され、ユーザはシートのどこを掴めばよいかを認識できる。
【００９６】  また、例えば、画像データには、シートの上下左右をユーザに認識させる目印の位置、形状、大きさなどの内容が含まれてもよい。これにより、シートには目印が印刷され（例えば、シートの上部に上方向を示す三角形が印刷され）、ユーザは、シートの上下左右を認識できる。
【００９７】  また、例えば、画像データには、ユーザがシートを所定のサイズに手動でカットできるガイド線、自動裁断機器等でシートを所定のサイズにカットする場合に必要な自動裁断機器の走査情報などの内容が含まれてもよい。
【００９８】  また、例えば、画像データには、薬剤（有効成分）の種類、薬剤の濃度などの内容が含まれてもよい。薬剤は、変色領域の変色の要因の種別（以下「要因種別」という）に対応し、変色領域の改善を促すものであり、例えば、抗炎症薬剤、美白剤、ＵＶ吸収剤、ＵＶ反射剤、ハイドロキノン系の薬剤などが挙げられる。
【００９９】  なお、変色領域は、その要因種別により、色素斑、肝斑、扁平母斑、色素細胞性母斑、太田母斑、後天性真皮メラノサイトーシス、紅斑、紫斑、白斑、青あざ、ほくろ、毛穴の黒ずみ、日焼け領域、ざ瘡（ニキビ）、ニキビ痕、摩擦や炎症による色素沈着、しわ、雀卵斑（そばかす）、タトゥー、疣贅、瘢痕等に区分される。そして、要因種別により、変色領域に対して行うべき対策（例えば、薬剤）は異なる。
【０１００】  また、例えば、複数のメイク部品画像およびそれらに対応する複数の補助マーク画像が決定された場合、画像データには、１組の画像（１つのメイク部品画像とそれに対応する補助マーク画像）ずつ１枚のシートに印刷するか、または、複数組の画像をまとめて１枚のシートに印刷するかといった内容が含まれてもよい。
【０１０１】  以上、画像データに含まれる情報の各例について説明した。
【０１０２】  ステップＳ１１１の後、印刷装置４００は、画像処理装置１００から受け取った画像データに基づいて、所定の色の色素材料を用いてメイク部品画像をシート（例えば、薄膜）に印刷する。また、印刷装置４００は、画像処理装置１００から受け取った画像データに基づいて、所定の色の色素材料を用いて補助マーク画像をシート（例えば、薄膜または支持体）に印刷する。このとき、印刷装置４００は、補助マーク画像を、メイク部品画像の印刷位置に対応する位置に印刷する。すなわち、メイク部品画像と補助マーク画像は、予め定められた相対位置に基づいて印刷される。
【０１０３】  そして、印刷装置４００は、メイク部品画像と補助マーク画像が印刷されたシートを出力する。
【０１０４】  ユーザは、印刷装置４００から出力されたシートを手で掴み、シートの肌への貼り付けを行う。本実施の形態では、後述の画像処理装置１１０により、ユーザによるシートの貼り付けを支援する。
【０１０５】  以下、シートの貼付支援動作を行う画像処理装置１１０について説明する。
【０１０６】  ＜装置の構成＞  次に、図８を用いて、画像処理装置１１０の構成について説明する。
【０１０７】  図８は、画像処理装置１１０の構成の一例を示すブロック図である。図８に示す撮像装置２００、表示装置３００、および記憶装置５００は、図１、図３を用いて説明したものと同じであるので、ここでの詳細な説明は省略する。
【０１０８】  図８に示すように、画像処理装置１１０は、画像取得部１０１、画像解析部１０２、位置検出部１０５、貼付通知部１０６を有する。
【０１０９】  画像取得部１０１は、撮像装置２００により撮影された画像（以下「撮影画像」という）を取得し、その撮影画像を表示装置３００に表示させる。撮影画像には、ユーザの顔画像と、ユーザが手で掴んでいるシートの画像（以下「シート画像」という）とが含まれる。撮影画像は、例えば、動画である。
【０１１０】  また、画像取得部１０１は、撮像装置２００から取得した撮影画像を画像解析部１０２へ出力する。
【０１１１】  画像解析部１０２は、画像取得部１０１から撮影画像を受け取ると、顔画像から顔特徴点を抽出し（図４参照）、抽出された特徴点に基づいて顔部品（例えば、目、まぶた、頬、鼻、唇、おでこ、あご等）を抽出する。
【０１１２】  なお、画像解析部１０２は、撮影画像にシート画像が含まれていない場合、または、撮影画像にシート画像は含まれているものの、そのシート画像における補助マーク画像を検出（認識）できない場合、シートの貼付支援動作を終了するか否かをユーザに選択させる画面を表示装置３００に表示させてもよい。
【０１１３】  また、画像解析部１０２は、記憶装置５００から補助マーク情報を取得する。補助マーク情報は、上述したとおり、例えば、画像処理装置１００によって決定された補助マーク画像と、その補助マーク目標位置とを示す情報である。
【０１１４】  そして、画像解析部１０２は、抽出された顔特徴点と、補助マーク目標位置とに基づいて、補助マーク画像を顔画像に重畳させて表示させる。これにより、表示装置３００に表示中の顔画像において、補助マーク目標位置に補助マーク画像が表示される。なお、以下では、顔画像に重畳表示された補助マーク画像を「目標位置画像」という。
【０１１５】  ここで、表示装置３００における目標位置画像の表示例について、図９を用いて説明する。図９は、表示装置３００に表示されている撮影画像の一例を示す。ここでは、ユーザがシートの薄膜側を肌に向けており、シートの支持体側を撮像装置２００に向けている状態であるとする。
【０１１６】  図９に示すように、シートの貼り付けを行おうとしているユーザの顔画像６０２と、ユーザが手で掴んでいるシート（手は図示略）のシート画像５４１とが表示されている。
【０１１７】  また、シート画像５４１上には、メイク部品画像８０１（例えば、チーク画像）と補助マーク画像８０２（例えば、ラインマーク画像）が表示されている。上述したとおり、支持体が透明な部材で構成されることで、メイク部品画像８０１と補助マーク画像８０２の撮影が可能となるため、メイク部品画像８０１と補助マーク画像８０２は表示装置３００に表示される。なお、表示装置３００には少なくとも補助マーク画像８０２が表示されればよく、メイク部品画像８０１の表示は必須ではない。
【０１１８】  また、顔画像６０２上には、補助マーク画像８０２と同じ形状、大きさの目標位置画像８００が表示されている。目標位置画像８００の表示位置は、予め定められた補助マーク目標位置である。
【０１１９】  ユーザは、図９に示した各画像を見ながら、目標位置画像８００と補助マーク画像８０２とを一致させるようにシートを肌に近付ける。
【０１２０】  以上、目標位置画像の表示の一例について説明した。以下、図８の説明に戻る。
【０１２１】  画像解析部１０２は、撮影画像および補助マーク情報を位置検出部１０５へ出力する。
【０１２２】  位置検出部１０５は、画像解析部１０２から撮影画像および補助マーク情報を受け取ると、シート画像に含まれる補助マーク画像（シートに印刷されている補助マーク画像）の位置を検出する。
【０１２３】  そして、位置検出部１０５は、検出された補助マーク画像の位置と、補助マーク情報が示す補助マーク目標位置（換言すれば、目標位置画像の位置）との距離を算出する。ここで算出された距離を、以下「算出距離」という。なお、算出距離は、以下のように複数算出されてもよい。
【０１２４】  例えば、図９に示すように補助マーク画像８０２および目標位置画像８００がラインマークである場合、位置検出部１０５は、補助マーク画像８０２の右端点に対応する特徴点と、目標位置画像８００の右端点に対応する特徴点との間の距離（第１の算出距離の一例）を算出する。また、位置検出部１０５は、補助マーク画像８０２の左端点に対応する特徴点と、目標位置画像８００の左端点に対応する特徴点との間の距離（第２の算出距離の一例）を算出する。
【０１２５】  また、例えば、シート画像上の補助マーク画像および目標位置画像が図６に示した囲みマークである場合、位置検出部１０５は、シート画像上の補助マーク画像の重心点に対応する特徴点と、目標位置画像の重心点に対応する特徴点との間の距離（第１の算出距離の一例）を算出する。また、位置検出部１０５は、シート画像上の補助マーク画像の外周上の少なくとも１点に対応する特徴点と、目標位置画像の外周上の少なくとも１点に対応する特徴点との間の距離（第２の算出距離の一例）を算出する。
【０１２６】  そして、位置検出部１０５は、算出距離が予め定められた所定値以下であるか否かを判定する。なお、上述したように、複数の算出距離（例えば、第１の算出距離と第２の算出距離）が算出された場合、位置検出部１０５は、第１の算出距離が第１の所定値以下であり、かつ、第２の算出距離が第２の所定値以下であるか否かを判定してもよい。その場合、第１の所定値と第２の所定値は、同じ値でもよいし、異なる値でもよい。
【０１２７】  算出距離が所定値以下である場合、位置検出部１０５は、ユーザがシートの貼り付けを実行すべきタイミングである旨を示す第１の検出結果情報を貼付通知部１０６へ出力する。なお、算出距離が所定値以下である場合は、検出された補助マーク画像の位置と補助マーク目標位置とが一致し、算出距離がゼロとなる場合を含む。
【０１２８】  一方、算出距離が所定値以下ではない場合、位置検出部１０５は、ユーザがシートの貼り付けを実行すべきタイミングではない旨を示す第２の検出結果情報を貼付通知部１０６へ出力する。
【０１２９】  貼付通知部１０６は、位置検出部１０５から第１の検出結果情報を受け取った場合、シートの貼り付けを実行するように促す通知を行う。例えば、貼付通知部１０６は、シートの貼り付けを実行するように促す旨のメッセージ画像を表示装置３００に表示させる。この表示例を図１０に示す。
【０１３０】  図１０は、例えば、補助マーク画像８０２の位置が目標位置画像８００（図示略）に一致するようにユーザがシートを移動させたときの、表示装置３００における撮影画像の表示例を示す図である。図１０に示すように、顔画像６０２には、シートの貼り付けを実行するように促す旨のメッセージ画像８０４が表示される。これにより、ユーザは、シートが適切な位置にあり、シートを貼り付けるタイミングであると認識できる。
【０１３１】  なお、メッセージ画像８０４の代わりに、または、メッセージ画像８０４とともに、補助マーク画像８０２の色または輝度等を変化させたり、あるいは、補助マーク画像８０２を点滅させたりしてもよい。また、後述する誘導画像が表示されている場合には、その誘導画像（例えば、図９の矢印画像８０３）の色または輝度等を変化させたり、あるいは、誘導画像を点滅させたりしてもよい。
【０１３２】  メッセージ画像８０４を視認したユーザは、シートの薄膜を肌に密着させ、シートの支持体を剥離する。これにより、図１１に示すように、ユーザの顔の肌には、薄膜に形成されたメイク部品画像８０１が担持され、メイク（ここでは、右頬のチーク）が実現される。
【０１３３】  一方、貼付通知部１０６は、位置検出部１０５から第２の検出結果情報を受け取った場合、シートを目標位置画像の位置（補助マーク目標位置）へ移動させるように誘導する通知を行う。例えば、貼付通知部１０６は、図９に示すように、シートの適切な移動方向を示す矢印画像（誘導画像の一例）８０３を表示装置３００に表示させる。図９の例では、矢印画像８０３は、顔画像６０２に重畳されて表示されている。ユーザは、矢印画像８０３を視認することで、シートを移動させるべき適切な方向を認識できる。なお、矢印画像８０３の指示方向は、ユーザが顔の向きを変化させた場合でも、顔画像６０２の向きに合わせて、目標位置画像の位置を指し示すように変化してもよい。
【０１３４】  なお、貼付通知部１０６は、位置検出部１０５により補助マーク画像８０２の位置が検出されてから算出距離が所定値以下ではない時間が一定時間を超えた場合に、シートを目標位置画像の位置へ移動させるように誘導する通知（例えば、矢印画像８０３の表示）を行うようにしてもよい。
【０１３５】  また、矢印画像８０３の代わりに、または、矢印画像８０３とともに、シートを目標位置画像の位置へ移動させるように誘導するメッセージ画像を表示させてもよい。
【０１３６】  また、貼付通知部１０６が行う上記各通知は、表示装置３００における表示に限定されない。例えば、貼付通知部１０６は、図示しない音声出力部（例えば、スピーカ）に、シートの貼り付けを実行するように促す音声、または、シートを目標位置画像の位置へ移動させるように誘導する音声を出力させてもよい。または、貼付通知部１０６は、表示装置３００における表示と音声出力部における音声出力の両方を用いて、上記各通知を行うように制御してもよい。または、貼付通知部１０６は、シートの貼り付け方法をガイドする動画を表示させてもよい。
【０１３７】  また、貼付通知部１０６は、算出距離に応じて、検出された補助マーク画像の位置（または、誘導画像）と、補助マーク目標位置との一致率（例えば、パーセンテージ、点数など）を算出し、その一致率を、画像表示または音声出力の少なくとも一方によりユーザに通知するようにしてもよい。
【０１３８】  なお、貼付通知部１０６は、算出距離以外に基づいてユーザに通知をするようにしてもよい。例えば、目標位置画像に対する補助マーク画像の位置の方向（上下左右）に応じてユーザに通知をしてもよい。この場合、ユーザに「シートを上げて下さい」のような通知を行う。さらに奥行きを検知可能であれば、奥行きの距離を考慮した通知をしてもよい。例えば「位置をそのままにして、シートを顔に近づけて下さい」と言った通知があり得る。
【０１３９】  ＜装置の動作＞  次に、図１２を用いて、画像処理装置１１０の動作（シートの貼付支援動作）について説明する。
【０１４０】  図１２は、画像処理装置１１０の動作の一例を示すフローチャートである。
【０１４１】  ステップＳ２０１において、画像取得部１０１は、撮像装置２００から、顔画像とシート画像を含む撮影画像を取得する。そして、画像取得部１０１は、撮影画像を表示装置３００に表示させる。また、画像取得部１０１は、撮影画像を画像解析部１０２へ出力する。
【０１４２】  ステップＳ２０２において、画像解析部１０２は、画像取得部１０１から受け取った撮影画像に含まれる顔画像から顔特徴点を抽出する（図４参照）。
【０１４３】  ステップＳ２０３において、画像解析部１０２は、記憶装置５００から補助マーク情報（補助マーク画像と補助マーク目標位置）を取得し、抽出された顔特徴点と、補助マーク目標位置とに基づいて、補助マーク画像（目標位置画像）を顔画像に重畳させて表示させる（図９参照）。そして、画像解析部１０２は、撮影画像および補助マーク情報を位置検出部１０５へ出力する。
【０１４４】  ステップＳ２０４において、位置検出部１０５は、画像解析部１０２から撮影画像および補助マーク情報を受け取ると、撮影画像（シート画像）から補助マーク画像の位置を検出する。ここでいう補助マーク画像は、シートに印刷されている補助マーク画像である。
【０１４５】  ステップＳ２０５において、位置検出部１０５は、検出された補助マーク画像の位置と、補助マーク情報が示す補助マーク目標位置（顔画像に重畳表示されている目標位置画像の位置）との距離を算出する。
【０１４６】  ステップＳ２０６において、位置検出部１０５は、ステップＳ２０５において算出した算出距離が予め定められた所定値以下であるか否かを判定する。なお、例えば、算出距離が複数ある場合は、各算出距離が各所定位置以下であるか否かが判定される。
【０１４７】  算出距離が所定値以下である場合（ステップＳ２０６：ＹＥＳ）、位置検出部１０５は、ユーザがシートの貼り付けを実行すべきタイミングである旨を示す第１の検出結果情報を貼付通知部１０６へ出力する。この場合、フローは、後述のステップＳ２０８へ進む。
【０１４８】  一方、算出距離が所定値以下ではない場合（ステップＳ２０６：ＮＯ）、位置検出部１０５は、ユーザがシートの貼り付けを実行すべきタイミングではない旨を示す第２の検出結果情報を貼付通知部１０６へ出力する。この場合、フローは、後述のステップＳ２０７へ進む。
【０１４９】  ステップＳ２０７において、貼付通知部１０６は、位置検出部１０５から第２の検出結果情報を受け取ると、シートを目標位置画像の位置（補助マーク目標位置）へ移動させるように誘導する通知を行う（図９の矢印画像８０３参照）。
【０１５０】  ステップＳ２０８において、貼付通知部１０６は、位置検出部１０５から第１の検出結果情報を受け取ると、シートの貼り付けを実行するように促す通知を行う（図１０参照）。
【０１５１】  ＜本実施の形態の効果＞  以上説明したように、本実施の形態の画像処理装置１００は、肌に貼り付け可能なシート５４０への画像の印刷に用いられる画像データを生成する装置である。画像処理装置１００は、顔特徴点を基準として顔における目標位置（メイク部品目標位置）が定められたメイク部品画像５１１と、顔特徴点を基準として顔における目標位置（補助マーク目標位置）が定められた補助マーク画像５１２を決定する画像決定部１０３と、決定されたメイク部品画像５１１と、決定されたメイク部品画像５１１の印刷位置に対応する位置に決定された補助マーク画像５１２をシート５４０に印刷する内容の、画像データを生成する印刷制御部１０４と、を有する。
【０１５２】  また、本実施の形態の画像処理装置１１０は、肌に貼り付け可能なシートの貼り付けを支援する装置である。画像処理装置１１０は、顔と、顔特徴点を基準として顔における目標位置（メイク部品目標位置）が定められたメイク部品画像８０１が印刷され、かつ、顔特徴点を基準として顔における目標位置（補助マーク目標位置）が定められた補助マーク部分（例えば、補助マーク画像８０２）を有するシートと、を撮影した撮影画像を取得する画像取得部１０１と、撮影画像から顔特徴点を抽出し、抽出された顔特徴点に基づいて、補助マーク部分の目標位置を示す目標位置画像８００を、撮影画像に重畳して表示させる画像解析部１０２と、撮影画像から補助マーク部分の位置（例えば、補助マーク画像８０２の位置）を検出する位置検出部１０５と、検出された補助マーク部分の位置（例えば、補助マーク画像８０２の位置）と目標位置画像８００の位置との関係に基づいて、シートの肌への貼り付けの支援となる通知を行う貼付通知部１０６と、を有する。
【０１５３】  以上により、本実施の形態によれば、シートに印刷されたメイク部品画像と、そのメイク部品画像が配置されるべき目標位置との間にずれを生じさせることなく、ユーザがシートを適切な位置に容易に貼り付けることができる。
【０１５４】  ＜本実施の形態の変形例＞  以上、本発明の実施の形態について説明したが、本発明は上記説明に限定されず、種々の変形が可能である。以下、各変形例について説明する。
【０１５５】  （変形例１）  上記実施の形態では、画像データの生成、出力を行う画像処理装置１００と、シートの貼り付けを支援する画像処理装置１１０とが別々の構成である場合を例に挙げて説明したが、これに限定されない。
【０１５６】  例えば、図３に示した画像処理装置１００がさらに、図８に示した位置検出部１０５および貼付通知部１０６を備えてもよい。または、図８に示した画像処理装置１１０がさらに、図３に示した画像決定部１０３および印刷制御部１０４を備えてもよい。これにより、１つの画像処理装置で、画像データの生成・出力動作とシートの貼り付け支援動作を実現できる。
【０１５７】  （変形例２）  上記実施の形態では、ユーザがシートを手で掴んで貼り付けを行う場合を例に挙げて説明したが、これに限定されない。
【０１５８】  例えば、ユーザは、手でシートを把持する代わりに、シートを把持可能な貼付治具を用いてシートの貼り付けを行ってもよい。
【０１５９】  その場合、例えば、画像処理装置１１０は、シートの貼り付けタイミングをユーザに通知するように貼付治具を制御してもよい。具体的には、画像処理装置１１０は、撮影画像において貼付治具の画像を認識し、その貼付治具の画像の位置と補助マーク目標位置との距離が所定値以下となったときに、貼付治具に信号を無線送信する。貼付治具は、その信号を受信すると、貼付治具に備えられた照明部を点灯させる。これにより、ユーザは、シートの貼り付けタイミングであることを認識できる。
【０１６０】  （変形例３）  図６に示した補助マーク画像テーブルに登録される補助マーク画像は、ユーザにより、形状、メイク部品画像との相対位置、色などが設定（変更）されてもよい。これにより、ユーザは、シートの貼り付けに関する自分の癖や技量に適した補助マーク画像を作成できる。
【０１６１】  （変形例４）  図６に示した補助マーク画像テーブルにおいて、各補助マーク画像に対応して登録される優先度は、ユーザによる選択回数に応じて変更されてもよい。例えば、ユーザが所定の補助マーク画像を選択した場合、その補助マーク画像の優先度に対して所定の値を加算するようにしてもよい。これにより、補助マーク画像の選択の際、ユーザの好みの補助マーク画像が優先的に表示され、ユーザビリティが向上する。
【０１６２】  （変形例５）  上記実施の形態では、画像処理装置１００により提示された複数のメイク部品画像から、ユーザが所望のメイク部品画像を選択する場合を例に挙げて説明したが、これに限定されない。
【０１６３】  例えば、ユーザが、メイクを施していない顔画像（静止画像）に対してスタイラスペンや指などでメイク部品を描画し、画像処理装置１００は、顔特徴点に基づいて、ユーザにより描画されたメイク部品を認識してもよい。
【０１６４】  例えば、図４に示した顔特徴点７０１〜７０３、７０６〜７０８に囲まれる領域７０９に、ユーザにより描画されたメイク部品が存在する場合、画像処理装置１００は、そのメイク部品をアイシャドウであると認識する。そして、画像処理装置１００は、描画されたアイシャドウを示すメイク部品画像を印刷画像に決定する。
【０１６５】  次に、画像処理装置１００は、例えば、図６に示した補助マーク画像テーブルにおいてアイシャドウに対して定められた複数種類の補助マーク画像（囲みマーク画像、１点マーク画像、・・・など）から、所定の補助マーク画像（例えば、優先度が最も高いもの）を選択し、印刷画像に決定する。
【０１６６】  ここで、画像処理装置１００は、例えば、メイク部品画像の重心の座標と、各顔特徴点の座標との距離を算出し、最も距離が短い顔特徴点に基づいて、補助マーク画像の目標位置（補助マーク目標位置）を定めてもよい。
【０１６７】  なお、上記説明では、補助マーク画像が画像処理装置１００によって選択される場合を例に挙げて説明したが、メイク部品と同様に、補助マーク画像はユーザによって描画されてもよい。
【０１６８】  （変形例６）  上記実施の形態では、ユーザは、動画の顔画像に重畳表示される目標位置画像を視認してシートの貼り付けを行う場合を例に挙げたが、これに限定されない。
【０１６９】  例えば、ユーザは、目標位置画像が重畳表示された静止画の顔画像（以下「静止顔画像」という）を見ながらシートの貼り付けを行ってもよい。例えば、静止顔画像は、画像処理装置１１０で生成され、画像処理装置１１０からユーザ端末（例えば、スマートフォン）へ送信される。ユーザは、ユーザ端末に静止顔画像を表示させ、その静止顔画像と鏡に映る顔とを見比べながら、シートの貼り付けを行う。
【０１７０】  または、上記静止顔画像は、ユーザ端末において、カメラの自撮り（自分撮り）機能により撮影される動画の顔画像に重畳表示されてもよい。このとき、例えば、静止顔画像における目標位置画像以外の透過率を上げることで、動画の顔画像において目標位置画像を視認しやすくしてもよい。ユーザは、動画の顔画像に重畳表示された静止顔画像の目標位置画像を見ながら、シートの貼り付けを行う。
【０１７１】  （変形例７）  例えば図６に示した２点マーク画像や３点マーク画像のように、補助マーク画像が複数の構成要素（例えば、点の画像）から成る場合、各構成要素に対応する各目標位置画像を順次表示するようにしてもよい。
【０１７２】  この具体例について、図１３を用いて説明する。なお、ここでは、２点マーク画像を例に挙げて説明する。
【０１７３】  図１３Ａは、メイク部品画像８０１と補助マーク画像８０５、８０６とが印刷されたシートを貼り付ける前の撮影画像の一例を示す図である。補助マーク画像８０５、８０６は、それぞれ、２点マーク画像を構成する構成要素の一例である。
【０１７４】  図１３Ａにおいて、まず、画像解析部１０２は、補助マーク画像８０５に対応する目標位置画像８０７を顔画像６０２に重畳させて表示させる。ここで、目標位置画像８０７に一致させるべき補助マーク画像が補助マーク画像８０５であることをユーザが認識できるように、画像表示または音声出力の少なくとも一方により通知が行われてもよい。そして、ユーザは、補助マーク画像８０５を目標位置画像８０７に一致させるようにシートを移動させる。
【０１７５】  次に、位置検出部１０５は、補助マーク画像８０５に対応する特徴点と、目標位置画像８０７に対応する特徴点との間の距離を算出し、その算出距離が所定値以下となったか否か（例えば、補助マーク画像８０５と目標位置画像８０７とが一致したか否か）を判定する。ここでは、判定の結果、補助マーク画像８０５と目標位置画像８０７とが一致したとする。
【０１７６】  補助マーク画像８０５と目標位置画像８０７とが一致したときの撮影画像の一例を図１３Ｂに示す。図１３Ｂに示すように、画像解析部１０２は、補助マーク画像８０６に対応する目標位置画像８０８を顔画像６０２に重畳させて表示させる。ここで、目標位置画像８０８に一致させるべき補助マーク画像が補助マーク画像８０６であることをユーザが認識できるように、画像表示または音声出力の少なくとも一方により通知が行われてもよい。そして、ユーザは、補助マーク画像８０５を目標位置画像８０７に一致させたまま、補助マーク画像８０６を目標位置画像８０８に一致させるようにシートを移動させる。
【０１７７】  このようにして、ユーザは、シートに印刷された補助マーク画像８０５、８０６と、顔画像６０２に重畳表示された目標位置画像８０７、８０８との位置合わせを行うことができる。
【０１７８】  なお、上記説明では、２つの構成要素（補助マーク画像８０５、８０６）から成る２点マーク画像を例に挙げて説明したが、３つ以上の構成要素から成る補助マーク画像についても、各構成要素に対応する各目標位置画像が順次表示される。
【０１７９】  以上のように、本変形例によれば、複数の構成要素のそれぞれに対応する目標位置画像が順次表示されるので、ユーザは、複数の目標位置画像が同時に表示される場合に比べて、目標位置画像を視認しやすく、また、シート上の補助マーク画像と目標位置画像との位置合わせを行いやすい。
【０１８０】  （変形例８）  上記実施の形態では、シートの肌への貼り付けを補助（支援）する補助マーク部分の一例として、シートに印刷される補助マーク画像を例に挙げて説明したが、これに限定されない。
【０１８１】  例えば、補助マーク部分は、シートの一部分であってもよい。この具体例を図１４Ａに示す。図１４Ａに示すように、シート５２０には、その外周に突起部分９００（補助マーク部分の一例）が形成されている。メイク部品画像８０１は、予め定められた突起部分９００との相対位置に印刷される。
【０１８２】  この場合、画像処理装置１１０は、例えば、画像データ生成の際に記憶装置５００に記憶されたメイク部品情報（例えば、メイク部品画像８０１、そのメイク部品目標位置、メイク部品画像８０１と突起部分９００との相対位置などの情報）に基づいて補助マーク目標位置を特定し、その補助マーク目標位置に、突起部分９００と同じ形状、同じ大きさの目標位置画像を顔画像に重畳して表示させてもよい。
【０１８３】  なお、図１４Ａでは、突起部分９００を１つだけ設けた場合を例に挙げたが、突起部分９００は、複数設けられてもよい。また、補助マーク部分として用いられるシートの一部分の形状は、図１４Ａに示した突起部分９００に限定されない。例えば、シート５２０の外周の一部を切り欠いた形状を、補助マーク部分として用いてもよい。
【０１８４】  または、例えば、補助マーク部分は、シートを把持する物体（例えば、指または貼付治具）であってもよい。この具体例を図１４Ｂに示す。図１４Ｂに示すように、シート５２０は、ユーザの指９０１、９０２（補助マーク部分の一例）によって把持されている。図示は省略しているが、シート５２０において指９０１、９０２に把持されている部分には、例えば、ユーザが指で把持すべき箇所を認識できる把持領域が所定形状、所定の大きさ、所定の色で印刷されている。メイク部品画像８０１は、予め定められた把持領域との相対位置に印刷される。
【０１８５】  この場合、画像処理装置１１０は、例えば、画像データ生成の際に記憶装置５００に記憶されたメイク部品情報（例えば、メイク部品画像８０１、そのメイク部品目標位置、メイク部品画像８０１と把持領域との相対位置などの情報）に基づいて補助マーク目標位置を特定し、その補助マーク目標位置に、指または把持領域と同じ形状、同じ大きさの目標位置画像を顔画像に重畳して表示させてもよい。
【０１８６】  （変形例９）  １枚のシートに複数のメイク部品画像が印刷される場合、それら複数のメイク部品画像の各々に対応する補助マーク画像も印刷されるが、このとき、所定のメイク部品画像に対応する補助マーク画像が別のメイク部品画像に重なったり、または、補助マーク画像同士が重なったりするおそれがある。そこで、画像処理装置１００は、各メイク部品目標位置および各補助マーク目標位置に基づいて、印刷時に、所定の補助マーク画像が、非対応のメイク部品画像と重なる、または、他の補助マーク画像と重なると判定した場合には、所定の補助マーク画像を印刷しない旨を含むように画像データを生成してもよい。
【０１８７】  （変形例１０）  記憶装置５００において、ユーザ識別情報には、ユーザの年齢、性別、国籍、居住地、出身地、ユーザが使用している化粧品の識別情報、肌の悩み、理想の肌状態、医療機関（皮膚科、美容皮膚科、美容整形外科など）で受けた治療の履歴（医療機関名、治療日、治療箇所等）といった情報（以下まとめて「ユーザ関連情報」という）が関連付けられてもよい。
【０１８８】  ユーザ関連情報は、例えば、化粧品の店舗、医療機関等において、ユーザが記入したアンケートの情報、または、ユーザに対するカウンセリングで得られた情報である。ユーザ関連情報は、店舗、医療機関等の関係者またはユーザ自身によって所定の端末（例えば、パーソナルコンピュータ、スマートフォン、タブレット等）から入力される。そして、ユーザ関連情報は、所定の端末から記憶装置５００に送信され、記憶装置５００に記憶されているユーザ識別情報に関連付けられて記憶される。なお、ユーザ関連情報は、画像処理装置１００または記憶装置５００に入力されてもよい。
【０１８９】  画像処理装置１００は、ユーザ関連情報（例えば、国籍、年齢、性別など）と、ユーザによって選択されたメイク部品画像および補助マーク画像とを対応付けて、所定の装置（例えば、化粧品の開発会社や販売店舗）へ出力してもよい。これらの情報の対応付けにより、どのような属性のユーザがどのようなメイク部品画像および補助マーク画像を選択したかが分かる。そのため、化粧品の開発、接客の際のアドバイスや商品の推薦等に活用できる。
【０１９０】  （変形例１１）  なお、顔特徴点の抽出方法、顔部品の抽出方法、要因種別の判断方法、印刷する材料の決定方法、および印刷方法は、上述の例に限定されない。例えば、顔特徴点の抽出方法、顔部品の抽出方法、および要因種別の判断方法としては、既知の分類方法、パターン認識方法、クラスタリング方法、および最適化方法を採用することができる。
【０１９１】  既知の分類方法としては、例えば、決定木分析、ニューラルネットワーク（深層学習を含む）、およびナイーブベイズが挙げられる。既知のパターン認識方法としては、例えば、ニューラルネットワーク（深層学習を含む）およびサポートベクターマシン（ＳＶＭ）が挙げられる。既知のクラスタリング方法としては、例えば、ｋ−Ｎｅａｒｅｓｔ  Ｎｅｉｇｈｂｏｒ（ｋ−ＮＮ、ｋ近傍法）、ｋ−ｍｅａｎｓ、および階層的クラスタリングが挙げられる。また、既知の最適化方法としては、例えば、遺伝的アルゴリズムが挙げられる。
【０１９２】  （変形例１２）  画像処理装置１００、１１０の構成の一部は、当該装置の構成の他の部分と物理的に離隔していてもよい。この場合、それらの離隔した複数の部分は、互いに通信を行うための通信部をそれぞれ備える必要がある。例えば、画像処理装置１００、１１０の機能の一部は、クラウド化されていてもよい。また、画像処理装置１００、１１０および印刷装置４００は、一体的に構成されていてもよい。また、画像処理装置１００、１１０および印刷装置４００の配置は、上述の例に限定されない。例えば、印刷装置４００は、印刷工場等、画像処理装置１００、１１０から離隔した場所に配置され、インターネット等の通信網を介して画像データを受信してもよい。
【０１９３】  （変形例１３）  画像処理装置は、顔だけでなく、背中、デコルテ、腕、手、腹、脚などの体パーツへの拡張も可能である。例えば、背中にシートを貼る場合は、まず背中を撮影すると、首の根元（首と肩の変曲点から算出）、肩甲骨、左右の肩甲骨の特徴点を結んだ中点などから、背中特徴点を複数算出可能である。同様に、特徴点にあわせて、シート生成し、シートを貼ることができる。
【０１９４】  （変形例１４）  １組の画像（１つのメイク部品画像とそれに対応する補助マーク画像）を複数組まとめて１枚のシートに印刷した場合の取扱い方について説明する。各メイク部品画像に対応する補助マークは、同一種でも良いし、それぞれ別でもよい。
【０１９５】  例として、アイシャドウとチークが１枚のシートに印刷されている場合、まず、補助マークが顔の正面の適切な範囲にきていることをある程度の許容差を持って確認合わせる。顔の下から上などの一方向に向けて貼り合せるように音声または/および文字のガイダンス、または/および補助マークの誘導を行う。
【０１９６】  ＜本開示のまとめ＞  本開示の画像処理装置は、肌に貼り付け可能なシートへの画像の印刷に用いられる画像データを生成する画像処理装置であって、顔特徴点を基準として顔における目標位置が定められたメイク部品画像と、前記顔特徴点を基準として前記顔における目標位置が定められた補助マーク画像を決定する画像決定部と、前記決定されたメイク部品画像と、前記決定されたメイク部品画像の印刷位置に対応する位置に前記決定された補助マーク画像を前記シートに印刷する内容の、前記画像データを生成する印刷制御部と、を有する。
【０１９７】  なお、上記画像処理装置において、前記メイク部品画像は、予め定められた複数種類の中からユーザにより選択されてもよい。
【０１９８】  また、上記画像処理装置において、前記補助マーク画像は、予め定められた複数種類の中からユーザにより選択されてもよい。
【０１９９】  また、上記画像処理装置において、複数種類の前記補助マーク画像のそれぞれに対して優先度が設定され、選択肢としての前記補助マーク画像が前記優先度の高い順に前記ユーザに提示されてもよい。
【０２００】  また、上記画像処理装置において、前記優先度は、前記ユーザによる前記補助マーク画像の選択回数に応じて設定されてもよい。
【０２０１】  また、上記画像処理装置において、前記印刷制御部は、前記生成した画像データを印刷装置に出力してもよい。
【０２０２】  本開示の画像処理装置は、肌に貼り付け可能なシートの貼り付けを支援する画像処理装置であって、顔と、顔特徴点を基準として前記顔における目標位置が定められたメイク部品画像が印刷され、かつ、前記顔特徴点を基準として前記顔における目標位置が定められた補助マーク部分を有する前記シートと、を撮影した撮影画像を取得する画像取得部と、前記撮影画像から顔特徴点を抽出し、抽出された前記顔特徴点に基づいて、前記補助マーク部分の前記目標位置を示す目標位置画像を、前記撮影画像に重畳して表示させる画像解析部と、前記撮影画像から前記補助マーク部分の位置を検出する位置検出部と、検出された前記補助マーク部分の位置と前記目標位置画像の位置との関係に基づいて、前記シートの前記肌への貼り付けの支援となる通知を行う貼付通知部と、を有する。
【０２０３】  なお、上記画像処理装置において、前記貼付通知部は、前記検出された前記補助マーク部分の位置と前記目標位置画像の位置との距離が所定値以下となった場合、前記肌への貼り付けの実行を促す通知を行ってもよい。
【０２０４】  また、上記画像処理装置において、前記貼付通知部は、前記距離が前記所定値以下ではない場合、前記シートの移動を誘導する通知を行ってもよい。
【０２０５】  また、上記画像処理装置において、前記貼付通知部は、前記補助マーク部分の位置が検出されてから前記距離が前記所定値以下ではない時間が一定時間を超えた場合、前記シートの移動を誘導する通知を行ってもよい。
【０２０６】  また、上記画像処理装置において、前記画像解析部は、前記補助マーク部分が複数の構成要素から成る場合、該複数の構成要素のうちの第１の構成要素に対応する第１の目標位置画像を表示させ、前記第１の目標位置画像の位置と、前記撮影画像から検出された前記補助マーク部分における所定位置との距離が所定値以下となった場合、前記複数の構成要素のうちの第２の構成要素に対応する第２の目標位置画像を表示させてもよい。
【０２０７】  また、上記画像処理装置において、前記補助マーク部分は、前記シートの一部分、前記シートを把持する物体、または、前記シートまたは該シートの担持体において前記メイク部品画像の印刷位置に対応する位置に印刷された補助マーク画像であってもよい。
【０２０８】  本開示の画像処理方法は、肌に貼り付け可能なシートへの画像の印刷に用いられる画像データを生成する画像処理方法であって、顔特徴点を基準として顔における目標位置が定められたメイク部品画像と、前記顔特徴点を基準として前記顔における目標位置が定められた補助マーク画像を決定し、前記決定されたメイク部品画像と、前記決定されたメイク部品画像の印刷位置に対応する位置に前記決定された補助マーク画像を前記シートに印刷する内容の、前記画像データを生成する。
【０２０９】  本開示の画像処理方法は、肌に貼り付け可能なシートの貼り付けを支援する画像処理方法であって、顔と、顔特徴点を基準として前記顔における目標位置が定められたメイク部品画像が印刷され、かつ、前記顔特徴点を基準として前記顔における目標位置が定められた補助マーク部分を有する前記シートと、を撮影した撮影画像を取得し、前記撮影画像から顔特徴点を抽出し、抽出された前記顔特徴点に基づいて、前記補助マーク部分の前記目標位置を示す目標位置画像を、前記撮影画像に重畳して表示させ、前記撮影画像から前記補助マーク部分の位置を検出し、検出された前記補助マーク部分の位置と前記目標位置画像の位置との関係に基づいて、前記シートの前記肌への貼り付けの支援となる通知を行う。
【産業上の利用可能性】
【０２１０】  本開示に係る画像表示装置および画像処理方法は、シートを適切な位置に容易に貼り付けることができる画像処理装置および画像処理方法として有用である。
【符号の説明】
【０２１１】  １  メイク支援システム  １００，１１０  画像処理装置  １０１  画像取得部  １０２  画像解析部  １０３  画像決定部  １０４  印刷制御部  １０５  位置検出部  １０６  貼付通知部  ２００  撮像装置  ３００  表示装置  ４００  印刷装置  ５００  記憶装置
【図１】
2018003421.tif 000003
【図２】
2018003421.tif 000004
【図３】
2018003421.tif 000005
【図４】
2018003421.tif 000006
【図５】
2018003421.tif 000007
【図６】
2018003421.tif 000008
【図７】
2018003421.tif 000009
【図８】
2018003421.tif 000010
【図９】
2018003421.tif 000011
【図１０】
2018003421.tif 000012
【図１１】
2018003421.tif 000013
【図１２】
2018003421.tif 000014
【図１３】
2018003421.tif 000015
【図１４】
2018003421.tif 000016
【国際調査報告】
2018003421.tif 000017
2018003421.tif 000018
2018003421.tif 000019
2018003421.tif 000020